(57)【要約】本発明は、制御ユニット（26）と少なくとも１つの膨張可能なバッグ（22）と少なくとも１つのガス供給源（24）を含む膨張可能なライニング（20）に関する。本発明によれば、膨張可能なライニング（20）はさらに、制御ユニット（26）を第１の動作モードから第２の動作モードにおよびその逆に切り換えるのに適した自動イネーブル手段（28）を備える。第１の動作モードでは、制御ユニット（26）は識別されたどんな危険な状況も無視するように設定され、第２の動作モードでは、制御ユニット（26）は危険な状況が識別されるとガス供給源（24）を作動させるように設定される。自動イネーブル手段（28）は、少なくとも１つの外部データソースからデータを取得すること、及び、外部ソースからデータを取得することができないまたは取得したデータが裏当て式の膨張可能なプロテクター（20）に対し互換性がない外部ソースを識別する場合に制御ユニット（26）を第１の動作モードに維持することに適した受信手段を備える。本発明はまた、識別手段（12）を備えた少なくとも１つの衣服（10）及び膨張可能なライニング（20）を含む防護服アセンブリ（１）に関する。
2015527499.tif 000002
【特許請求の範囲】
【請求項１】
裏当て式の膨張可能なプロテクター（２０）において、
少なくとも１つの膨張可能なバッグ（２２）であって、前記裏当て式の膨張可能なプロテクター（２０）に設けられたシート（２５）内に収容されている少なくとも１つの膨張可能なバッグ（２２）と、
前記裏当て式の膨張可能なプロテクター（２０）に固定されおよび前記少なくとも１つの膨張可能なバッグ（２２）に結合された少なくとも１つのガス供給源（２４）であって、作動した場合に、 前記少なくとも１つの膨張可能なバッグ（２２）を膨らませるのに適している少なくとも１つのガス供給源（２４）と、
感知手段（３０；３０Ａ）と、
前記裏当て式の膨張可能なプロテクター（２０）に固定され、および、前記感知手段（３０；３０Ａ）により提供されたデータを危険な状況を識別するために処理するのに適している制御ユニット（２６）と、
前記制御ユニット（２６）を第１の動作モードから第２の動作モードに、および、その逆に切り換えるのに適している自動イネーブル手段（２８）であって、前記第１の動作モードでは、前記制御ユニット（２６）は識別された如何なる危険な状況も無視するのに適しており、および、前記第２の動作モードでは、前記制御ユニット（２６）は危険な状況を識別したときに前記少なくとも１つのガス供給源（２４）を作動させるのに適している、自動イネーブル手段（２８）と
を備え、
前記自動イネーブル手段（２８）は、少なくとも１つの外部データソースからデータを取得するのに適した受信手段を備え、および、前記自動イネーブル手段（２８）は、前記外部データソースからデータを取得できない、または、前記裏当て式の膨張可能なプロテクター（２０）に対し互換性がない外部ソースを該取得したデータが識別した場合に、前記制御ユニット（２６）を前記第１の動作モードに維持するのに適している、裏当て式の膨張可能なプロテクター（２０）
【請求項２】
前記イネーブル手段（２８）は無線周波数識別リーダーを含む、請求項１に記載の裏当て式の膨張可能なプロテクター（２０）。
【請求項３】
前記イネーブル（２８）手段は、前記裏当て式の膨張可能なプロテクター（２０）を、該イネーブル手段（２８）と前記外部ソースの間でデータが通信できるように前記外部ソースに接続するのに適した結合手段を含む、請求項１に記載の裏当て式の膨張可能なプロテクター（２０）。
【請求項４】
防護服アセンブリ（１）において
少なくとも１つの衣服（１０）であって、該少なくとも１つの衣服（１０）を識別するのに適した識別手段（１２、１７、５０）を含む少なくとも１つの衣服（１０）と、
前記少なくとも１つの衣服（１０）の内側に取り外し可能に固定されるのに適した、裏当て式の膨張可能なプロテクター（２０）であって、
前記裏当て式の膨張可能なプロテクター（２０）に設けられたシート（２５）内に
収容されている少なくとも１つの膨張可能なバッグ（２２）と、
前記裏当て式の膨張可能なプロテクター（２０）に固定されおよび前記少なくとも
１つの膨張可能なバッグ（２２）に結合された少なくとも１つのガス供給源（２４）
であって、作動した場合に、 前記少なくとも１つの膨張可能なバッグ（２２）を膨
張させるのに適している少なくとも１つのガス供給源（２４）と、
感知手段（３０；３０Ａ）と、
前記裏当て式の膨張可能なプロテクター（２０）に固定され、および、前記感知手
段（３０；３０Ａ）により提供されたデータを危険な状況を識別するために処理する
のに適している制御ユニット（２６）と、
前記制御ユニット（２６）を第１の動作モードから第２の動作モードに、および、
その逆に切り換えるのに適している自動イネーブル手段（２８）であって、前記第１
の動作モードでは、前記制御ユニット（２６）は識別された如何なる危険な状況も無
視するのに適しており、および、前記第２の動作モードでは、前記制御ユニット（２
６）は危険な状況を識別したときに前記少なくとも１つのガス供給源（２４）を作動
させるのに適している、自動イネーブル手段（２８）と
を備えた裏当て式の膨張可能なプロテクター（２０）と
を備え、
前記自動イネーブル手段（２８）は、前記少なくとも１つの衣服（１０）の前記識別手段（１２、１７、５０）を認識すること、および、前記少なくとも１つの衣服（１０）の前記裏当て式の膨張可能なプロテクター（２０）に対し互換性がある設定を前記少なくとも１つの衣服（１０）の前記識別手段（１２、１７、５０）が識別した場合に前記制御ユニット（２６）を前記第２の動作モードへ切り換えることに適している、防護服アセンブリ（１）。
【請求項５】
前記自動イネーブル手段（２８）は無線周波数識別リーダーを備え、および、前記少なくとも１つの衣服（１０）の前記識別手段（１２）は前記少なくとも１つの衣服（１０）の分類データをストアするのに適した無線周波数識別手段（１６）を備えており、該無線周波数識別手段（１６）は、前記裏当て式の膨張可能なプロテクター（２０）がいったん前記衣服（１０）に固定されると、前記自動イネーブル手段（２８）の前記無線周波数識別リーダーのレンジ内を維持するように適合されている、請求項４に記載の防護服アセンブリ（１）。
【請求項６】
前記自動イネーブル手段（２８）は、前記裏当て式の膨張可能なプロテクター（２０）を、該イネーブル（２８）手段と外部デバイスの間でデータが通信できるように前記外部デバイスに接続するのに適した結合手段を含んでおり、前記少なくとも１つの衣服（１０）の前記識別手段（１２）は、該少なくとも１つの衣服（１０）の分類データをストアするのに適し、および、前記裏当て式の膨張可能なプロテクター（２０）の前記結合手段に接続されるのに適した接続手段（１３）を備えており、前記自動イネーブル手段（２８）は、前記識別手段（１２）にストアされた前記分類データを前記接続手段（１３）を介して読み取るように適合している、請求項４に記載の防護服アセンブリ（１）。
【請求項７】
前記識別手段（１２、１７、５０）は、該識別手段（１７、５０）のうちの１つの構成要素と前記制御ユニット（２６）の対応する構成要素の間の結合形状を確立することで前記少なくとも１つの衣服（１０）を識別するに適している、請求項４に記載の防護服アセンブリ（１）。
【請求項８】
前記識別手段（１７、５０）は、前記衣服（１０）の開口部に搭載されたリードスイッチ（１７）を含んでおり、該リードスイッチ（１７）は端部にプラグを持ったケーブルを備え、前記プラグは前記制御ユニット（２６）の対応するソケットに挿入するのに適した形状を有し、前記リードスイッチ（１７）の前記プラグの、前記制御ユニット（２６）の該ソケット内への挿入により、前記衣服（１０）が前記裏当て式の膨張可能なプロテクター（２０）に対し互換性があることを識別する、請求項７に記載の防護服アセンブリ（１）。
【請求項９】
前記識別手段（１７、５０）はディスプレイ（５０）を備え、該ディスプレイはユーザから該ディスプレイ（５０）が容易に見える、前記衣服（１０）の外側面上の位置に搭載されており、前記ディスプレイ（５０）は端部にプラグを持ったケーブルを備え、前記プラグは前記制御ユニット（２６）の対応するソケットに挿入するのに適した形状を有し、前記ディスプレイ（５０）の前記プラグの、前記制御ユニット（２６）の該ソケット内への挿入により、前記衣服（１０）が前記裏当て式の膨張可能なプロテクター（２０）に対し互換性があることを保証する、請求項７に記載の防護服アセンブリ（１）。
【請求項１０】
前記少なくとも１つの衣服（１０）は信号設定データを生成するのに適したシグナリング手段（１４）をさらに備え、前記自動イネーブル手段（２８）は、前記信号設定データを読み取ること、および、前記少なくとも１つの衣服（１０）の誤った着用を前記信号設定データが識別した場合に前記制御ユニット（２６）を前記第１の動作モードに維持することに適している、請求項４に記載の防護服アセンブリ（１）。
【請求項１１】
前記シグナリング手段（１４）がリードスイッチ（１７）および磁石（１８）を備えており、前記リードスイッチ（１７）および前記磁石（１８）は、前記少なくとも１つの衣服（１０）の中央の閉鎖部（１１）の両側に搭載されている、請求項１０に記載の防護服アセンブリ（１）。
【請求項１２】
前記裏当て式の膨張可能なプロテクター（２０）は、解放可能な第１の固定手段（２３Ａ、３２）であって、該裏当て式の膨張可能なプロテクター（２０）を前記少なくとも１つの衣服（１０）に取り外し可能に固定する、前記少なくとも１つの衣服（１０）の第２の固定手段（２３Ｂ；３４）と協働するのに適した第１の固定手段を備えている、請求項４に記載の防護服アセンブリ（１）。
【請求項１３】
前記少なくとも１つの衣服（１０）は、前記裏当て式の膨張可能なプロテクター（２０）の少なくとも１つの膨張可能なバッグ（２２）の上に実質的に重ねられた少なくとも１つの降伏領域（１９）を備えており、該少なくとも１つの降伏領域（１９）は、前記少なくとも１つの膨張可能なバッグ（２２）が前記裏当て式の膨張可能なプロテクター（２０）のガス供給源（２４）によって膨張された後に拡がることを可能にする、請求項４に記載の防護服アセンブリ（１）。
【発明の詳細な説明】
【技術分野】
【０００１】
本発明は、裏当て式の膨張可能なプロテクターに関するものである。本発明はまた、衣服および該裏当て式の膨張可能なプロテクターを備える防護服アセンブリに関するものである。特に、本発明は、たとえ非排他的な方法においても、裏当て式の膨張可能なプロテクターおよびモーターサイクリストが着用するために適した防護服アセンブリを指す。
【背景技術】
【０００２】
交通事故の際に、他の道路利用者と比べてモーターサイクリストが重大な怪我を受ける可能性が高いことがよく知られている。
【０００３】
怪我のリスクを低減するため、長年にわたって、ライダーの衣服への膨張可能なバッグまたはエアバッグの実装などの多くの取り組みが提案されてきた。
【０００４】
例えば、膨張可能なデバイスを備える防護服は、特許文献１，特許文献２，および、特許文献３に開示されている。しかしながら、これまで、保護のための膨張可能なデバイスを有する少数の製品が市場に導入されており、非常に限定された数のモーターサイクリストによって実際に使用されているように見える。
【０００５】
実際のところ、そのような防護服が通常の衣服に対しより高コストであることおよび外側の防護服の構造内に膨張可能なデバイスを実装する必要があることなどの様々な理由によりそれらの使用は思いとどまらせられているように見え、服飾デザイナーが利用可能なデザインオプションは不可避的に制限されている。さらに、そのようなタイプの防護服の寿命はそれほど長い訳でもなく（平均で３年ほど）、結果として交換の必要性がある。
【０００６】
上記の問題および欠点を考慮し、同一出願人はウェアラブルなプロテクターを開示するイタリア特許出願（ＴＶ２０１２Ａ００００８４）を出願したが、これは、薄い層のサポート生地、該サポート生地内に備えられたシートに収容された少なくとも１つの膨張可能なバッグ、該膨張可能なバッグに接続され且つ該サポート生地に直接的または間接的に固定された膨張手段として働く少なくとも１つのガス発生器、該サポート生地に直接的または間接的に固定された制御ユニットであって該膨張手段を作動させるのに適した制御ユニット、および、該制御ユニットに接続された感知手段であって前記サポート生地内に備えられた感知手段を備えている。
【０００７】
ウェアラブルなプロテクターは、その機能要素の全部、すなわち、膨張可能なバッグ、感知手段、制御ユニット、および、ガス発生器が薄い層のサポート生地上に配置されていることから、スタンドアロンのデバイスである。実際のところ、このスタンドアロンのウェアラブルなプロテクターを着用した後、ユーザは、ウェアラブルなプロテクターを動作させるためにウェアラブルなプロテクターのどの要素も外部のデバイスに接続する必要がない。
【０００８】
ウェアラブルなプロテクターはスタンドアロンのデバイスであり、したがってユーザは、革のジャケットやスーツなどの通常の防護服からおよびそのスタイルから独立して、そのウェアラブルなプロテクターを使用することができる。
【０００９】
しかしながら、ウェアラブルなプロテクターは種々の防護服と組み合わせて使用することができるが、ウェアラブルなプロテクターは防護服に実装されないことに留意すべきである。したがって、ユーザは、防護服の着用前または後のいずれかに、常に別の動作でウェアラブルなプロテクターを着用しなければならない。さらに、このようなウェアラブルなプロテクターによって上記の欠点をたとえ解決することができたとしても、その安全機能を最善の方法で達成するためには、ウェアラブルなプロテクターの、ユーザが通常それと組み合わせる他の衣服に対する互換性に関して別の問題が存在する。
【先行技術文献】
【特許文献】
【００１０】
【特許文献１】欧州特許第１６６８９９９号明細書
【特許文献２】米国特許第６２９８４８７号明細書
【特許文献３】欧州特許第００５１２５４号明細書
【特許文献４】国際公開第２０１０／１４０１７６号パンフレット
【発明の概要】
【発明が解決しようとする課題】
【００１１】
実際のところ、ウェアラブルなプロテクターを互換性がある衣服と一緒に使用しない場合に、膨張可能なバッグが保護すべき身体の部分上に正しく位置決めされない場合がある。さらに、ウェアラブルなプロテクターを互換性がある衣服と一緒に使用しない場合、膨張可能なバッグの適正な膨張が、プロテクターの上に着用した衣服によって妨げられることがある。さらに、ウェアラブルなプロテクターを互換性がある衣服と一緒に使用しない場合、膨張可能なバッグの膨張が、エアバッグの近傍の身体領域の危険な圧縮をもたらすことがある。したがって、ウェアラブルなプロテクターが完全にスタンドアロンであること、すなわち、それ自体で完全に動作することは、特定のユーザがウェアラブルなプロテクターを該プロテクターに対し互換性があるようにデザインされていない衣服と一緒に使用しようとするリスクの可能性がある。このことにより、ウェアラブルなプロテクターが事故で作動された場合に、ウェアラブルなプロテクターの不適切な、危険でさえある動作をもたらす可能性がある。
【課題を解決するための手段】
【００１２】
本発明の目的は、少なくとも部分的に上記の問題および欠点を解決する、裏当て式の膨張可能なプロテクターを提供することである。
特に、本発明の狙いは、互換性がある衣服と共に使用される場合にのみ作動されるのに適した裏当て式の膨張可能なプロテクターを提供することである。
また、本発明の別の狙いは、互換性がある衣服と組み合わせて正しく着用されている場合にのみ作動されるのに適した裏当て式の膨張可能なプロテクターを提供することである。
本発明のさらなる狙いは、互換性がある衣服に正しく固定されるのに適した、裏当て式の膨張可能なプロテクターを提供することである。
【００１３】
本発明の別の狙いは、裏当て式の膨張可能なプロテクター、並びに、容易にメンテナンスされることおよび使用された後に適切な動作状態に戻ることに適した互換性がある衣服を備える保護服アセンブリを提供することである。
【００１４】
最後に、本発明のさらなる狙いは、簡単な方法で着用することができ、並びに、ユーザが裏当て式の膨張可能なプロテクターおよび互換性がある衣服を１回の動作で着用することを可能にする防護服アセンブリを提供することにある。
【００１５】
これらおよび他の目的および狙いは、請求項１に係る裏当て式の膨張可能なプロテクターによって、および、請求項４に係る保護アセンブリによって達成される。
【図面の簡単な説明】
【００１６】
本発明の利点および特徴は、裏当て式の膨張可能なプロテクターおよび防護服アセンブリの好ましいがしかし排他的ではない実施形態の以下の説明から、添付の図面を参照してより明確にされるであろう。
【図１】本発明に係る裏当て式の膨張可能なプロテクターの第１の実施形態の正面図である。
【図２】図１の裏当て式の膨張可能なプロテクターの背面図である。
【図３】本発明に係る裏当て式の膨張可能なプロテクターの第２の実施形態の、図２と同様の背面図である。
【図４】本発明に係る裏当て式の膨張可能なプロテクターの第３の実施形態の、図２と同様の背面図である。
【図４Ａ】図４中のＩＶａ−ＩＶａ平面に従った、裏当て式の膨張可能なプロテクターの簡略化した断面図である。
【図５】本発明に係る保護アセンブリの第１の実施形態の簡略化した正面図である。
【図５Ａ】図５の円で囲まれた細部の拡大図である。
【図５Ｂ】図５の円で囲まれた細部の拡大図である。
【図５Ｃ】図５の円で囲まれた細部の拡大図である。
【図６】本発明に係る保護アセンブリの第２の実施形態の第１の動作状態における正面図である。
【図７】図６の保護アセンブリの第２の動作状態における正面図である。
【図８】本発明に係る保護アセンブリのさらなる実施形態の側面を部分的に断面で示す図である。
【図９】本発明に係る保護アセンブリの別の実施形態の、図８と同様の側面図である。
【図１０】本発明に係る保護アセンブリのいくつかの構成要素間の接続の概略図である。
【図１１】本発明に係る保護アセンブリの裏当て式の膨張可能なプロテクターを衣服と接続するために使用される手段の第１の実施形態の斜視図である。
【図１２】本発明に係る保護アセンブリの裏当て式の膨張可能なプロテクターを衣服と接続するために使用される手段の第１の実施形態の斜視図である。
【発明を実施するための形態】
【００１７】
以下の説明において、衣服の内側面、すなわちユーザに面する面を少なくとも部分的に覆うために適した衣料品の構成要素を、「ライニング（lining）」として表す。詳細には、「ライニング（lining）」として、ユーザが着用している外側の衣服の内側に一時的に取り付けられるのに適した構成要素を表す。
【００１８】
また、「内側面（inner surface）」または「内側部（inner portion）」として、ライニングおよび／または衣服の面または部分およびそれらの個々の構成要素であって、ライニングおよび／または衣服の使用の際に相対的にユーザの身体により近い面または部分および構成要素を表し、一方、「外側面（outer surface）」または「外側部（outer portion）」として、ライニングおよび／または衣服の面または部分およびそれらの個々の構成要素であって、ライニングおよび／または衣服の使用の際に前記内側面または前記内側部とは逆に外向きの面または部分および構成要素を表す。
【００１９】
添付の図面を参照すると、本発明に係る裏当て式の膨張可能なプロテクターの例が、全体的に参照符号２０で示されている。明確にするために、以下では、裏当て式の膨張可能なプロテクター２０を膨張可能なライニングと呼ぶ。この膨張可能なライニング２０は、特に自動二輪車のライダーが使用するために適している。それにもかかわらず、以下の説明からより明らかになるように、膨張可能なライニング２０はまた、サイクリストによって、またはユーザの身体の効果的な保護を得ることが必須の他の分野において、有利に使用することができる。
【００２０】
膨張可能なライニング２０は、少なくとも１つの膨張可能なバッグ２２および少なくとも１つのガス供給源２４を備える。
【００２１】
膨張可能なバッグ２２は、膨張可能なライニング２０に設けられたシート２５内に収容されている。ガス供給源２４は、好ましくは取り外し可能なように、膨張可能なライニング２０に固定されている。この少なくとも１つのガス供給源２４は、作動した場合に、少なくとも１つの膨張可能なバッグ２２を膨らませるのに適している。
【００２２】
一般的なエアバッグのような膨張可能なバッグ２２は、いったん膨らむと、他の車両または物体に対する衝撃から、ライダーの身体を、ユーザの身体に働く衝撃力を吸収または少なくとも緩和することによって保護する機能を有する。
【００２３】
ガス供給源２４は、圧縮ガスを収容するシリンダーから成ってもよい。別のものとして、あるいは追加で、ガス供給源２４を、膨張可能なバッグを充填して膨らませるためのガスを化学反応により生成するのに適した化学製品を収容するキャニスターで構成することもできる。これらの実施形態は、エアバッグの分野の当業者に本質的に周知である。
【００２４】
膨張可能なライニング２０はまた、感知手段３０；３０Ａおよび制御ユニット２６を備える。制御ユニット２６は膨張可能なライニング２０に固定され、危険な状況を識別するために感知手段３０；３０Ａが提供したデータを処理するのに適している。
【００２５】
本発明によれば、膨張可能なライニング２０は、制御ユニット２６を第１の動作モードから第２の動作モードに、および、その逆に切り替えるのに適した自動イネーブル手段２８をさらに備える。自動手段として、ユーザが操作する必要なしにそれらの機能を達成するのに適した手段を意味する。
【００２６】
本発明によれば、第１の動作モードにおいて、識別された如何なる危険な状況も無視するように制御ユニット２６が設定され、第２の動作モードにおいて、危険な状況が識別されたときにガス供給源２４を作動させるように制御ユニット２６が設定される。
【００２７】
本発明によれば、「識別された如何なる危険な状況も無視する」こととして、たとえ感知手段３０；３０Ａが危険な状況を検出した場合であっても制御ユニット２６がガス供給源２４を作動させず、従って膨張可能なバッグ２２が膨らまない状態を意味する。
【００２８】
有利には、膨張可能なライニング２０は、ユーザがライニングを着用するのをよりに容易にするために適した中央開口部２１を備えることができる（図１参照）。
【００２９】
膨張可能なライニング２０は、好ましくは、例えば０．３ミリ乃至０．６ミリの、膨張可能なライニング２０を別の衣服の下に容易に着用することが可能になる薄手の生地から作られる。
【００３０】
好ましくは、膨張可能なライニング２０の生地は、ポリエステル、ポリアミドまたはアラミド繊維で作られる。
【００３１】
好ましくは、膨張可能なライニング２０の構造は、内側層２０Ｂと外側層２０Ａの間に１つまたは複数のポケット２５を作れるように少なくとも二つの層２０Ａ、２０Ｂを備えている。有利には、膨張可能なライニング２０の内側層２０Ｂを外側層２０Ａに縫合３１によって固定することで、ポケット２５を作ることができる（図４Ａ参照）。このようなポケット２５を使用して、膨張可能なライニング２０の様々な構成要素、すなわち膨張可能なバッグ２２、ガス供給源２４、制御ユニット２６等（図４Ａ参照）を収容することができる。
【００３２】
好ましくは、膨張可能なライニング２０の生地は、ユーザの身体の種々の形状に容易に適応できるような、良好な弾性を有している。さらに、その弾性により、膨張可能なライニング２０の生地は膨張可能なバッグ２２が膨らむのを妨げることがなく、その最大容量に極短時間で到達することを可能にする。
【００３３】
膨張可能なライニング２０の生地の構造は、膨張可能なバッグ２２の膨張が、ユーザの身体を拘束しないように膨張可能なライニング２０の外側に向かって行われることを可能にする。
【００３４】
膨張可能なライニング２０は、好ましくは単一の膨張可能なバッグ２２を備える。好ましくは、単一の膨張可能なバッグ２２は、膨張可能なライニング２０の生地上に配置されたシート２５の内側に収容される。このシート２５は、膨張可能なバッグ２２を適切な位置に保つ機能を有する。好ましくは、膨張可能なバッグ２２は、膨張可能なライニング２０の生地の内側層２０Ｂと外側層２０Ａの間に作られたポケット２５内に収容される（図４Ａ参照）。
【００３５】
好ましくは、単一の膨張可能なバッグ２２は、膨張可能なライニング２０の生地上に、ユーザの胸、肋骨、肩、および、背中を覆うように配置される。
【００３６】
しかしながら、さらなる特定のニーズを満たすために、単一の膨張可能なバッグ２２の種々の構成が可能である。
【００３７】
明らかに、膨張可能なライニング２０は１つよりも多くの膨張可能なバッグ２２を含んでもよく、該膨張可能なバッグ２２は、身体の他の部分を覆うのに、および、互いに組み合わせて動作するのに適している。
【００３８】
好ましくは、膨張可能なバッグ２２は、ポリアミドなどのシート材料から作られる。類似の膨張可能なバッグが、同一出願人名義で出願された特許文献４に開示されている。
【００３９】
この膨張可能なバッグ２２は大きな拡がりを達成することができ、および、平坦な構成においてはそのシート２５の内側に、折り畳まれたり押し固められたりする必要なしに挿入することができる。このようにして、膨張可能なバッグを膨張可能なライニング２０上に備えることは、後者のかさばりを引き起こすことがなく、および、ユーザが膨張可能なライニング２０を着用する妨げにならない。
【００４０】
好ましくは、膨張可能なライニング２０は単一のガス供給源２４を備える。しかしながら、本発明の可能な代替的な実施形態は、１つよりも多いガス供給源２４の使用を想定している。
【００４１】
この特定の実施形態において、危険な状況が感知手段３０；３０Ａによって識別され且つ制御ユニット２６がその第２の動作モードにある場合は、複数のガス供給源２４は、同時にまたは所定のシーケンスに従って、制御ユニット２６により作動されることができる。
【００４２】
このように、膨張可能なライニング２０が１つよりも多い膨張可能なバッグ２２を収容している場合、各々の膨張可能なバッグ２２を別のガス供給源２４によって膨らませることができる。
【００４３】
さもなければ、膨張可能なバッグ２２に該バッグがいったん膨らむと該バッグのゆっくりした収縮を可能にするエスケープベントが備えられているならば、それがゆっくりと収縮して、次のガス供給源２４が将来の別の時間に作動され得ると云える。このように、膨張可能なライニング２０は、保守および再装填を受ける必要なしに再利用することができる。この場合、膨張可能なライニング２０の生地の外側層２０Ａは、膨らんだバッグ２２に重なっているが、その弾性のおかげで圧縮力をその上に加えることができ、膨張可能なバッグ２２からガスが抜けるのを助ける。
【００４４】
有利には、膨張可能なライニング２０は、ＺＩＰまたはベルクロ（商標）ファスナーのような閉鎖手段によって閉めるのに適した開口部２７（図２、図３および図４参照）を腰椎の部分に備えることができる。閉鎖手段が開いた後、ユーザは膨張可能なライニング２０の一部にアクセスすることができ、そこにはガス供給源２４が収納されている。ユーザは開口部２７を介して、それが必要ならば、空のガス供給源２４を新しいものと交換することができる。
【００４５】
図４に示すように、ガス供給源２４は、有利には、膨張可能なライニング２０の背部に設けられた保護要素４０の内部に収容することができ、この保護要素４０は、膨張可能なライニング２０に入れ替わりに固定される。好ましくは、保護要素４０は、膨張可能なライニング２０に縫合４１によって固定される（図４Ａ参照）。
【００４６】
膨張可能なライニング２０はまた、例えば肩および肘のような、身体の他の部分を覆うのに適した追加の保護要素を備えることができる。そのような実施形態は添付の図面に図示していないものの、肩および肘を保護するために設計された保護要素は当業者に周知である。
【００４７】
ガス供給源２４は、膨張可能なライニング２０の他の構成要素と同様、膨張可能なライニング２０の生地上のどこにでも自由に配置することができる。
【００４８】
既に述べたように、膨張可能なライニング２０はさらに、危険な状況を識別するためにデータを制御ユニット２６に提供するのに適した感知手段３０；３０Ａを備える。この感知手段３０；３０Ａは、好ましくは加速度計である。図２および図４に示す実施形態によれば、膨張可能なライニング２０の生地上に感知手段３０を配置することができる。
【００４９】
この感知手段３０は、膨張可能なライニング２０の種々の領域に配置することができる（添付の図面に示される実施形態では、明確にするために、膨張可能なライニング２０の肩部上に位置決めされたセンサのみを示している）。
【００５０】
図３に示す実施形態によれば、膨張可能なライニング２０の生地上に備えられた感知手段３０に加えてまたはその代替として、膨張可能なライニング２０の外部に感知手段３０Ａを配置することもできる。これが存在すると、感知手段３０Ａを、ユーザが運転する自動二輪に、または膨張可能なライニング２０と合わせて着用している衣服上に備え付けることができる。
【００５１】
感知手段３０；３０Ａは、有線および／または無線接続により、膨張可能なライニング２０の制御ユニット２６に接続される。
【００５２】
感知手段３０；３０Ａが無線接続によって制御ユニット２６に接続されている場合、制御ユニット２６は適切な受信機２６Ａを備える（図３参照）。
【００５３】
制御ユニット２６は、ユーザの挙動および／またはユーザが運転している自動二輪の挙動を、感知手段３０；３０Ａが提供するデータによって連続的にモニタするのに適している。実際のところ、制御ユニット２６は、感知手段３０；３０Ａが提供したデータを処理することによって、例えば自動二輪の急激な減速またはユーザの身体の予想外の動きに起因する、ユーザにとって危険な状況を（トリガアルゴリズムに従って）識別することができる。
【００５４】
その第１の動作モードにおいて、ユーザにとって危険な状況をたとえ識別した場合でも、制御ユニット２６はガス供給源２４に如何なる作動入力も提供しない。すなわち、制御ユニット２６は、膨張可能なバッグ２２を膨らませるための起動信号をガス供給源２４に送信しない。
【００５５】
その第２の動作モードにおいて、ユーザにとって危険な状況を識別した後で、制御ユニット２６は起動信号をガス供給源２４に瞬時に送信することができ、約３０〜１００ミリ秒のうちに、膨張可能なバッグ２２の急激な膨張を導く。
【００５６】
その第１の動作モードから第２の動作モードへの（およびその逆の）、制御ユニット２６の切り換えは、膨張可能なライニング２０の自動イネーブル手段２８によって動作する。
【００５７】
自動イネーブル手段２８の機能は、膨張可能なライニング２０が誤った方法で、および／または、互換性がない衣服と組み合わせて使用されることを防止することである。
【００５８】
好ましくは、自動イネーブル手段２８は、例えば膨張可能なライニング２０と組み合わせて使用される衣服のように、少なくとも１つの外部ソースからデータを取得する受信手段を備える。
【００５９】
衣服と組み合わせてウェアラブルな防護服を使用する場合を考慮すると、イネーブル手段２８は、例えば、そのような衣服に識別コードがつけられているかを検証するのに適している。
【００６０】
肯定の場合、受信手段は、衣服の識別コードを取得するために、および、取得したコードによって膨張可能なライニング２０に対し互換性がある衣服が識別されるかどうかを検証するために適している。
【００６１】
膨張可能なライニング２０に対し互換性がある外部ソース、例えば衣服が取得されたコードによって識別される場合、イネーブル手段２８は、制御ユニット２６を第２の動作モードに切り替えるのに適している。コードを取得できないか、または取得されたコードによって膨張可能なライニング２０に対し互換性がない外部ソースが識別される場合、イネーブル手段２８は、制御ユニット２６を第１の動作モードに維持するのに適している。
【００６２】
好ましくは、イネーブル手段２８は無線周波数識別リーダーを備える。
【００６３】
この無線周波数リーダーは、制御ユニット２６の内部に組み込むことができる（図８参照）。以下で詳細に説明するように、この無線周波数リーダーは、外側の衣服内に搭載されたチップの識別コードを読み取るのに適している。
【００６４】
他の実施形態において、無線周波数リーダーは膨張可能なライニング２０内の他の場所に装着され、および、制御ユニット２６に有線および／または無線接続によって接続される。
【００６５】
別の実施形態において、イネーブル手段２８は、膨張可能なライニング２０を外部デバイス（例えば、プロテクターと組み合わせて使用される衣服）に、外部デバイスとイネーブル手段２８の間のデータ通信を可能にするように接続するのに適した結合手段を備える。
【００６６】
上記の説明から、膨張可能なライニング２０の構造は、後者を一般的な衣服１０と組み合わせて衣服のアセンブリを形成するように使用することを可能にすることが理解できる。
【００６７】
しかしながら、膨張可能なライニング２０は一般的な衣服の下に着用した場合にその安全機能を適切には達成できないことに留意すべきである。実際のところ、膨張可能なライニング２０のトップに着用した衣服は、膨張バッグ２２が膨らむのを妨害する可能性がある。危険な状況の場合に、このような膨張は、ユーザの身体に対して外向きによりも、内向きに発生する可能性がある。
【００６８】
このような技術的課題を解決するために、既に述べたイタリア特許出願（ＴＶ２０１２Ａ００００８４）において、本出願人はまた、スタンドアロンのウェアラブルなプロテクターと組み合わせて使用するのに適した防護服を開示している。この防護服は、スタンドアロンのウェアラブルなプロテクターの少なくとも１つの膨張可能なバッグの上に、後者を互換性がある衣服の下に着用する場合に、少なくとも部分的に重ねるのに適した降伏領域を備えている。
【００６９】
降伏領域は、衝突状況の検出に続いて、膨張可能なバッグがスタンドアロンのウェアラブルなプロテクターのガス供給源によっていったん膨らむと、膨張可能なバッグの展開を可能にする機能を有している。
【００７０】
したがって、ユーザは有利には、膨張可能なライニング２０を、上に開示したように、ウェアラブルなプロテクターの膨張可能なバッグ（１つまたは複数）の上に正しく位置決めされた降伏領域を有する防護服と一緒に使用することができる。
【００７１】
しかしながら、ユーザが本発明の膨張可能なライニング２０を互換性がない衣服と、すなわち膨張可能なバッグの適切な膨張を可能にするのに適した降伏領域を欠いている衣服と、自発的にまたは意図に反して組み合わされることを避けることはできない。
【００７２】
したがって、高い安全性を保証するためおよび膨張可能なライニング２０の不適切な使用を回避するために、新規で革新的な、本発明による防護服アセンブリ１が考え出された。
【００７３】
このような防護服アセンブリ１は、少なくとも１つの衣服１０および上で開示された膨張可能なライニング２０を備えており、少なくとも１つの衣服１０には、該少なくとも１つの衣服１０を識別するのに適合した識別手段１２が備えられている。膨張可能なライニング２０は、取り外し可能に衣服１０の内側に固定されるのに適している。
【００７４】
本発明によれば、膨張可能なライニング２０のイネーブル手段２８は、衣服１０の識別手段１２を認識すること、および、衣服１０の膨張可能なライニング２０に対し互換性がある設定を識別手段１２が識別した場合に制御ユニット２６をその第２の動作モードに切り替えることに適している。
【００７５】
同様に、制御ユニット２６は、識別手段１２が膨張可能なライニング２０に対し互換性がない、衣服１０の構成を識別した場合に、制御ユニット２６をその第１の動作モードに維持するのに適している。
【００７６】
「互換性がない構成」として、膨張可能なバッグの正しい膨張を妨げ、膨張可能なライニング２０によって提供される安全性を低下させ、いくつかの特定のケースではユーザを怪我や損害にさらす衣服の構成を意味する。
【００７７】
例えば、膨張可能なライニング２０に対する互換性がない衣服の構成は、膨張可能なライニングとは異なるサイズを有する衣服により表される。さらにまた、互換性がない構成の他の例は、膨張可能なバッグの正しい膨張がそれらの位置によって可能でない硬質または半硬質の保護要素を外側の衣服が備えている場合に発生する。互換性がない別の構成は、衣服が降伏領域を欠いているか、またはその降伏領域が膨張可能なライニングの膨張可能なバッグに重ならない場合に発生する。別の互換性がない構成は、衣服の開口部が正しく閉じられていないとき、例えば前面開口部がジップファスナーによって完全には閉じられていないときに発生する。互換性がない構成の他の例は、衣服が識別手段を欠いている場合、または、たとえ衣服にそれが膨張可能なライニング２０と適切に連動するように適合する機能が備えられていたとしても衣服が非認可製造者によって製造されたものである場合である。
【００７８】
識別手段１２は、好ましくは衣服１０の分類データをストアするのに適している。衣服１０の「分類データ」として、例えばモデル、サイズ、色、衣服の製造場所に関する情報を含むことができるデータを意味する。詳細には、衣服のモデルに関する情報は、降伏領域の数および拡がり並びに降伏領域の位置に関する情報を含むことができる。
【００７９】
有利には、衣服１０の分類データの中に、衣服が正しく着用すなわち固定されたかどうかを示すデータもまた含まれる。
【００８０】
好ましくは、衣服１０の識別手段１２は、無線周波数識別手段１６を備える。
【００８１】
図８に示されている防護服１の実施形態によれば、膨張可能なライニング２０の制御ユニット２６は、イネーブル手段として働く無線周波数認識読取装置２８を組み込むことができる。同時に、衣服１０は、膨張可能なライニングの無線周波数識別リーダーのレンジ内に留まるのに適した位置に据え付けられた無線周波数識別チップ１６を、後者が衣服１０の内部に正しく備え付けられることを条件として、含むものとする。
【００８２】
膨張可能なライニング２０を衣服１０と組み合わせた場合、無線周波数リーダー２８は、無線周波数識別チップ１６（存在する場合）上に存在するコードを読み取ることができ、および、そのコードが衣服１０の下の膨張可能なライニング２０に対して互換性がある構成を識別する場合は、無線周波数リーダー２８は、制御ユニット２６をその第１の動作モードから第２の動作モードに切り替える。
【００８３】
したがって、各々の衣服のサイズおよびスタイルは、例えば異なる無線周波数識別チップ１６を有していてよく、そして、そのとき、無線周波数リーダー２８は、膨張可能なライニング２０が対応するサイズのまたは対応する構成の衣服の内部に備え付けられているかどうかを確認することができる。
【００８４】
さらに、各々の衣服１０についての一意の無線周波数識別チップ１６の使用によって、膨張可能なライニング２０が盗まれた場合および誰かがそれを互換性がある他の衣服１０の内側に備え付けようとしたが合法的所有者の一人ではない場合に、無線周波数リーダー２８がデフォルトで制御ユニット２６をその第１の動作モードに切り替えることができるようなセキュリティ機能を実現することができる。
【００８５】
図９には保護アセンブリ１の実施形態が示されており、ここでは、膨張可能なライニング２０のイネーブル手段２８および衣服１０の識別手段１２を、ワイヤ１３を介して相互に接続することができる。
【００８６】
この実施形態では、衣服１０は、それに対して接続されるケーブル１３を有する識別チップ１６を備えている。膨張可能なライニング２０が衣服１０内にいったん備え付けられると、ユーザはケーブル１３をイネーブル手段２８の結合手段にプラグ接続しなければならない。好ましくは、ケーブル１３は、膨張可能なライニングと衣服を接続するようにイネーブル手段２８の連結手段（図１１および１２を参照）として働く、対応して成形されたソケット３８に挿入するのに適したプラグ３３を、その端部に備えている。以前の開示と同様に、イネーブル手段２８は識別チップ１６にストアされた分類データをケーブル１３を介して読み取るのに適しており、それによって、イネーブル手段に、膨張可能なライニング２０が正しく使用されているかどうかを検証させる。互換性があるコードをイネーブル手段２８が読み取った場合、イネーブル手段２８は制御ユニット２６をその第２の動作モードに切り替える。
【００８７】
無線周波数リーダーおよびチップを使用する実施形態を参照して説明したように、衣服１０の識別コードを、衣服のサイズおよびスタイルに依って変えることができる。
【００８８】
イネーブル手段２８はまた、制御ユニット２６をその第２の動作モードからその第１の動作モードに、および、その逆に、防護服アセンブリの通常の使用中においても、すなわち最初の識別（または初期化）手順を実行した後に切り替えるのに適していることに留意すべきである。実際のところ、通常の使用中に、例えば、衣服１０または膨張可能なライニング２０が一方を他方に対し移動させて、そのために無線周波数チップが対応するリーダーの読み取りレンジから外に出た場合、または、ケーブルがイネーブル手段の結合手段から誤って取り外された場合（すなわち、例えばプラグ３３がソケット３８から外れた場合）、後者は衣服からの信号を欠き、制御ユニットをその第１の動作モードに瞬時に切り替える。この場合、制御ユニット２６は、制御ユニット２６がイネーブル手段２８によってその第１の動作モードに切り替えられたことをユーザに示すのに適した適当な手段（例えば、音響手段）を備えることができる。
【００８９】
図１０に、本発明による防護服アセンブリ１のさらなる実施形態が示されている。
【００９０】
詳細には、本実施形態において、衣服１０は、信号構成データを生成するために適したシグナリング手段１４をさらに備えている。この場合、膨張可能なライニング２０のイネーブル手段２８はまた、信号構成データを読み取るため、および、該信号構成データが衣服１０の誤った着用を識別している場合に制御ユニット２６を第１の動作モードに切り替えるために適している。
【００９１】
好ましくは、シグナリング手段１４は衣服の開口部に位置決めされる。
【００９２】
図１０に示されるように、シグナリング手段１４を、有利には、衣服１０の前面開口１１に位置決めすることができる。
【００９３】
シグナリング手段１４は、リードスイッチ１７および磁石１８を備えることができる。有利には、リードスイッチ１７および磁石１８を、衣服１０の前面開口１１の両側に搭載することができる。衣服の前面開口１１が完全に閉じている場合、リードスイッチ１７は磁石１８の局所磁界によって作動されることになる。しかしながら、衣服１０の前面開口１１が正しく閉じられていない場合は、リードスイッチ１７と磁石１８の間の距離の増加により、リードスイッチがもはや磁石１８によって作動されることはない。
【００９４】
イネーブル手段２８は、シグナリング手段１４により送信された信号（すなわち、磁石の作動または非作動）を読み取るのに適しており、および、衣服１０の開口部１１が適切に閉じられていない場合に、イネーブル手段２８は、制御ユニット２６をその第１の動作モードに切り替えることができる。同時に、衣服の開口部１１が適切に閉じられている場合に、イネーブル手段２８は、制御ユニット２６をその第２の動作モードに切り替えることができる。
【００９５】
衣服１０の開口部１１が適切に閉じられていない状態で膨張可能なライニング２０のガス供給源２４が作動されている場合は、膨張可能なバッグ２２の急激な膨張により衣服１０に開口を生ずる危険性があるので、シグナリング手段１４は重要な安全上の機能を達成する。そのような発生に際して、膨張可能なバッグ２２が移動して、身体の保護されるべき部分から離れることができる。
【００９６】
シグナリング手段１４の種々の配置（例えば、シグナリング手段は、衣服の側面開口部に配置できる）が、さらなる特定のニーズを満たすために可能であることに留意すべきである。
【００９７】
図１０に示す実施形態によれば、衣服はさらにディスプレイ５０を備えることができる。このようなディスプレイ５０は、好ましくは、ユーザからそれが容易に見える、衣服１０の外側面上の位置に搭載される。例えば、ディスプレイ５０は、衣服１０の袖の一方に適用することができる。このようなディスプレイ５０は、制御ユニット２６がその第１の動作モードであろうが第２の動作モードであろうが、ユーザと通信するのに適している。ディスプレイ５０はまた、制御ユニットが例えば電源の問題により、または膨張可能なライニング２０の構成要素の１つが正常に機能していないことにより、誤って機能していることをユーザに知らせることができる。
【００９８】
図１０に示す実施形態によれば、シグナリング手段１４およびディスプレイ５０は、両方が有線接続を介して制御ユニット２６に接続されている。
【００９９】
この場合、スイッチ１７またはディスプレイ５０のいずれかに衣服の識別手段１２を実装することができ、また、別のものとして、識別手段１２をスイッチ１７およびディスプレイ５０に含めて、ユーザがプロテクターの適切な機能を可能にするために両方のデバイスを制御ユニット２６に接続したことを確実にすることができる。
【０１００】
ディスプレイ５０およびシグナリング手段１４の制御ユニット２６との接続は無線タイプ（この実施例は添付の図面に示されていない）であり、これらの構成要素の一つに識別手段１２を実装することができる。
【０１０１】
有利には、作動するため、すなわちオンするためにシグナリング手段１４もまた使用することができ、その第１の動作モードからその第２の動作モードへの（およびその逆の）制御ユニット２６の切り替えは、それがいったん作動されると、いずれにしても膨張可能なライニング２０のイネーブル手段２８によって動作することが理解される。
【０１０２】
詳細には、リードスイッチ１７の機械的な開閉を用いて、膨張可能なライニング２０の制御ユニット２６を直接的にまたは間接的に（リレーまたはトランジスタを使用して）作動することができる。
【０１０３】
有利には、衣服１０の識別手段１２は、衣服を識別するための符号化された回路を備える必要がない。実際問題として、識別手段１２は衣服１０を、それらの構成要素の一つと膨張可能なライニング２０の制御ユニット２６の対応する構成要素の間の結合形状を確立することによって識別することができる。
【０１０４】
実際のところ、一実施形態では、リードスイッチ１７は、制御ユニット２６の対応するソケットに挿入されるのに適した特定の形状で図１１および図１２のプラグ３３およびソケット３８と同様に製造されたプラグを、その端部に有するケーブルを備えることができる。したがって、リードスイッチ１７のプラグが制御ユニット２６のソケットと整合しなければ、ユーザが２つのデバイスを一緒に接続して制御ユニット２６を作動することは不可能である。この場合、制御ユニット２６のソケット内部へのプラグの挿入は、衣服が膨張可能なライニング２０に対し互換性があることを保証し、同時に、制御ユニット２６がいったん作動すると、イネーブル手段２８は、衣服１０の前面開口が正しく閉じられているかどうかを検証するためにリードスイッチから送信された信号をモニタすることができる。
【０１０５】
同様に、ディスプレイ５０は、制御ユニット２６の第２の対応するポケット内に挿入されるのに適した特定の形状のプラグを備える。ディスプレイ５０を制御ユニット２６に接続した後は、制御ユニット２６とディスプレイ５０の間の電流の通路によってディスプレイをオンさせ、このようにして、ディスプレイが適切に制御ユニット２６に接続されていることを確認する。
【０１０６】
ディスプレイ５０のプラグの特定の形状によって、ユーザが膨張可能なライニング２０とともに機能するために具体的に設計されていないディスプレイ２６に制御ユニット５０を接続することが妨げられる。このように、ディスプレイのプラグの制御ユニット２６の対応するソケット内部への挿入は、衣服１０が膨張可能なライニング２０に対し互換性があることを保証する。
【０１０７】
図６には、衣服１０の内部に膨張可能なライニング２０が正しく備え付けられておりおよびそれが収縮状態にある最終結果が示されている。
【０１０８】
図６にはジャケットが示されているが、しかしながら、膨張可能なライニング２０と組み合わせて使用される衣服は、（ワンピースまたはツーピースで作られた）スーツまたは類似の防護服であってよい。
【０１０９】
同様に、添付の図面に示されている膨張可能なライニング２０は、ユーザの胴と腕部を覆うのに適している。しかしながら、さらなる特定のニーズを満たすための、膨張可能なライニング２０の異なる構成が可能である。例えば、ユーザの股関節部および／または脚部を覆うように膨張可能なライニング２０を設計することができる。
【０１１０】
衣服１０は、ライニング２０の膨張可能なバッグ２２の上に実質的に重ねられる降伏領域１９を備えている。この降伏領域は、膨張可能なバッグ２２が膨張可能なライニング２０のガス供給源２４によって膨らんだ後に拡がることができるようにすることが可能である（図７を参照）。
【０１１１】
前述したように、膨張可能なバッグ２２は、ガス感知手段３０、３０Ａによって提供されるデータを処理した後で、制御ユニット２６が危険な状況を識別するとすぐにガス供給源２４によって膨らまされる。
【０１１２】
この状況において、制御ユニットが第２の動作モードにあるならば、制御ユニット２６によってガス供給源２４に信号が渡されて、そのために膨張可能なバッグ２２の急激な膨張を引き起こす。
【０１１３】
図６および図７の例示の実施形態によれば、互換性がある衣服１０は、腕および脇の下の領域に降伏領域１９を備えている。しかしながら、さらなる特定のニーズを満たすために降伏領域１９の種々の構成が可能である。この降伏領域１９は、好ましくは、伸縮性材料で作られる。
【０１１４】
図６および図７の例示の実施形態によれば、スーツ３０の腕および脇の下部分に沿って位置決めされた伸縮領域１９は、ユーザの身体の肩、胸、および、背中を保護するために設計された膨張可能なバッグ２２の下の部分が衣服１０の材料に邪魔されることなく拡がることを可能にする。
【０１１５】
膨張可能なバッグがガス（または空気）で満たされているときはそれに厚みがあることから、および、そのことによって、外側の衣服の内側にこの厚さの増加に対応する余分なスペースがない場合はユーザに多大な不快感を引き起こす可能性があることから、降伏領域が有用である。膨張可能なバッグ２２を外側の衣服の内側に保持することは、外側の衣服による摩耗やパンクから膨張可能なバッグ２２が保護される利点を有する。さらに、外側の衣服上に通常実装される保護要素は、膨張可能なバッグ２２へのさらなる保護を提供することができる。図６および図７に示す衣服１０の例示の実施形態は、適切に成形された肩カップ１５を備えている。
【０１１６】
図５、５Ａ、５Ｂおよび５Ｃに示されているように、膨張可能なライニング２０は、膨張可能なライニング２０を衣服１０に一時的に固定するための衣服１０の第２の固定手段３４;２３Ｂと協働するのに適した第１の解放可能な固定手段３２; ２３Ａを備えることができる。
【０１１７】
詳細には、膨張可能なライニング２０を衣服１０に対し、袖に取り付けるために、狭い生地またはレース材料から作られた第１のループ３４が、好ましくは衣服１０の内側面に配置される一方で、膨張可能なライニング２０の対応する外側面上に第２のループ３２が備えられる。
【０１１８】
第２のループ３２は、第１のループ３４と鎖交して膨張可能なライニング２０を袖に固定するのに適している。第１のループと第２のループの間で唯一つのループが、永久的に閉鎖される。したがって、永久的に閉じていないほうのループを解放することによって、衣服１０から膨張可能なライニングを、互換性がある別の衣服１０に取り付けるために、必要に応じて取り外すことができる。
【０１１９】
図５の例示の実施形態によれば、第２のループ３２は、その端部に解放可能なプレスファスナーを備えていることから、一時的に開くことができる。膨張可能なライニング２０を外側の衣服１０に固定するために、第２のループ３２の第１の端部が第１のループ３４を通して衣服上に挿通され、次いで、第２のループ３２の反対側の端部にクリップされる。
【０１２０】
この方法はまた、膨張可能なライニング２０を衣服に対し、襟に固定するために使用することができる（図５Ｂ参照）。
【０１２１】
膨張可能なライニング２０の残りの部分は、例えば、衣服１０の主開口１１の両側に沿って進むことができるジップファスナー２３を使用することによって、衣服１０に付けることができる。
【０１２２】
詳細には、ジップファスナー２３の初めの半分２３Ｂを衣服１０の内側面に備え付けることができ、一方、ジップファスナー２３の別の半分２３Ａをウェアラブルな膨張可能なライニング２０の外側面に取り付けることができる。
【０１２３】
初めの半分２３Ｂを次の半分２３Ａに接続することにより、膨張可能なライニング２０は衣服１０に付けられる。
【０１２４】
膨張可能なライニング２０を衣服１０に固定するために、例えばマジックテープ式ファスナー、磁気ファスナー、バネ荷重クリップファスナーなどのような他のタイプのファスナーを使用してもよい。
【０１２５】
また、ファスナーの位置および数を、さらなる特定のニーズを満たすように変更することができる。
【０１２６】
上記の説明から、本発明に係る膨張可能なライニングおよび防護服アセンブリが従来技術に記載された問題および欠点を有利に解決するのに適した特性を有することは明らかである。特に、上述の膨張可能なライニングおよび防護服アセンブリを使用することにより、互換性があるように製造される衣服と組み合わせて膨張可能なライニングが使用される場合にのみ、膨張可能なバッグの膨張を可能とすることができる。
【０１２７】
また、本発明の膨張可能なライニングを備えることで、より簡単な構造を有する防護服アセンブリを得ることが可能になる。さらに、ユーザは、膨張可能なライニング２０と種々の外側の衣服１０を別々に購入することができる。例えば、同一の膨張可能なライニング２０を、冬用の重くて暖かいジャケットの下に、夏用の薄手のジャケットまたはベストの下に、または、スポーツ用の皮のジャケットまたは皮のスーツの下に使用することができる。
【０１２８】
さらに、膨張可能なライニング２０は外側の衣服１０に取り外し可能に固定されていることから、必要であれば、後者を単独ででも、膨張可能なライニング２０を設けることなく着用することができる。
【０１２９】
さらに、外側の衣服１０が損傷した場合、ユーザは外側の衣服１０だけを変更することができ、新しい膨張可能なライニング２０を購入することを余儀なくされることがない。このように、ユーザは、保護アセンブリ全体を手に入れるために彼／彼女が負わなければならない初期コストを分割することができる。加えて、膨張可能なライニング２０は有利には外側の衣服１０から取り外し可能であり、したがって、万が一メンテナンスが必要な場合は外側の衣服から取り出すことができ、そして別々に修復することができることから、メンテナンスコストの大幅な低減が得られる。
【０１３０】
最後に、防護服に取り外し可能に取り付けるのに適したライニング内に膨張可能なプロテクターを実装することにより、一回の動作で着用するのに適した保護服アセンブリが得られ、このような防護服の着用がより容易に且つより簡単になる。
【０１３１】
本発明について好ましい実施形態を参照して説明してきたが、以下の請求の範囲の範囲内で、機械的に同等の解決策を予測可能である。
【図１】
2015527499.tif 000003
【図２】
2015527499.tif 000004
【図３】
2015527499.tif 000005
【図４】
2015527499.tif 000006
【図４Ａ】
2015527499.tif 000007
【図５】
2015527499.tif 000008
【図５Ａ】
2015527499.tif 000009
【図５Ｂ】
2015527499.tif 000010
【図５Ｃ】
2015527499.tif 000011
【図６】
2015527499.tif 000012
【図７】
2015527499.tif 000013
【図８】
2015527499.tif 000014
【図９】
2015527499.tif 000015
【図１０】
2015527499.tif 000016
【図１１】
2015527499.tif 000017
【図１２】
2015527499.tif 000018
【国際調査報告】
2015527499.tif 000019
2015527499.tif 000020
2015527499.tif 000021